(57)【要約】【課題】簡単な構成であり、かつ、外力が印加された際にも簡単に外れにくいラベル及びラベル用紙を提供する。【解決手段】ラベルは、一端側の折り曲げ位置に形成された第１の折り曲げ線と、第１の折り曲げ線で折り畳みした際に互いに重畳する位置に一端側から順次形成された第１の穴及び第２の穴と、第１の穴及び第２の穴に両端がそれぞれ連通しており第１の折り曲げ線と交差する単一の第１の切り込み線又はスリットとを備えており、第１の折り曲げ線を中心として折り曲げされた際に、第１の穴を有する部分と第２の穴を有する部分とが互いに非平行となるように構成されている。【選択図】図１
2012185489.tif 000002
【特許請求の範囲】
【請求項１】
一端側の折り曲げ位置に形成された第１の折り曲げ線と、該第１の折り曲げ線で折り畳みした際に互いに重畳する位置に前記一端側から順次形成された第１の穴及び第２の穴と、該第１の穴及び該第２の穴に両端がそれぞれ連通しており前記第１の折り曲げ線と交差する単一の第１の切り込み線又はスリットとを備えており、前記第１の折り曲げ線を中心として折り曲げされた際に、前記第１の穴を有する部分と前記第２の穴を有する部分とが互いに非平行となるように構成されていることを特徴とするラベル。
【請求項２】
前記第１の切り込み線又はスリットが、前記第１の折り曲げ線に直交する直線状の切り込み線又はスリットであることを特徴とする請求項１に記載のラベル。
【請求項３】
前記第１の切り込み線又はスリットが、前記第１の折り曲げ線に斜めに交差する直線状の切り込み線又はスリットであることを特徴とする請求項１に記載のラベル。
【請求項４】
前記第１の折り曲げ線よりもさらに前記一端側に第２の折り曲げ線が形成されており、該第２の折り曲げ線で折り畳みした際に前記第１の穴と重畳する位置に第３の穴が形成されており、該第３の穴に連続し当該ラベルの側縁に達する第２の切り込み線が形成されていることを特徴とする請求項１から３のいずれか１項に記載のラベル。
【請求項５】
前記第１の穴及び前記第２の穴の各々が、周縁の一部が連結されている開口可能な穴であることを特徴とする請求項１から４のいずれか１項に記載のラベル。
【請求項６】
複数の、請求項１から５のいずれか１項に記載のラベルが、一端から他端へ伸長しておりかつ外周分離加工線を介して互いに並列に連結配置されていることを特徴とするラベル用紙。
【発明の詳細な説明】
【技術分野】
【０００１】
本発明は、例えば、植物の枝等の細長い対象物に取り付けるラベル及び複数のラベルを印刷形成するためのラベル用紙に関する。
【背景技術】
【０００２】
細長い対象物、例えば、園芸植物の枝に園芸用ラベルを取り付ける場合、ラベルに通した針金や紐を対象物に結ぶことが一般的に行われていた。このようなラベル取り付け方法は、ラベル毎に針金や紐を結びつける作業が必要となるため、取り付けに多大な労力を必要としていた。
【０００３】
このような針金や紐を用いる代わりに、園芸用ラベルの外周縁から取り付け穴まで切り込み線を設けておき、細長い対象物、例えば枝をこの切り込み線を通して取り付け穴まで導くことにより、取り付けを行う園芸用ラベルが提案されている（例えば、特許文献１）。
【先行技術文献】
【特許文献】
【０００４】
【特許文献１】実用新案登録第３０６９７７５号公報
【発明の概要】
【発明が解決しようとする課題】
【０００５】
この特許文献１に開示されている園芸用ラベルによれば、針金や紐で結束することなく、枝を、ラベルの外周縁から切り込み線に沿って導くのみで、取り付け穴に通すことができる。このため、ラベル取り付けを非常に容易に行うことが可能である。
【０００６】
しかしながら、この種の構成の園芸用ラベルによると、園芸植物を運搬する際や陳列する際にラベルに印加される外力、又は風による外力等が作用した場合に、ラベルが変形し、切り込み線が開いてしまい、この開いた切り込み線から枝が抜け出してラベルが簡単に外れてしまうおそれが多分にあった。
【０００７】
従って本発明は、上述した問題点を解消するためのものであり、その目的は、取り付けが簡単であり、しかも、外力が印加された際にも簡単に外れにくいラベル及びラベル用紙を提供することにある。
【課題を解決するための手段】
【０００８】
本発明によれば、ラベルは、一端側の折り曲げ位置に形成された第１の折り曲げ線と、第１の折り曲げ線で折り畳みした際に互いに重畳する位置に一端側から順次形成された第１の穴及び第２の穴と、第１の穴及び第２の穴に両端がそれぞれ連通しており第１の折り曲げ線と交差する単一の第１の切り込み線又はスリットとを備えており、第１の折り曲げ線を中心として折り曲げされた際に、第１の穴を有する部分と第２の穴を有する部分とが互いに非平行となるように構成されている。
【０００９】
第１の折り曲げ線で折り畳みをすると、第１の切り込み線又はスリットがこの第１の折り曲げ線上で開口可能となり、細長い対象物（例えば、植物の枝等）をこの開口部分に挿入して第１の切り込み線又はスリット内に割り込ませて案内し、互いに重畳されている第１の穴及び第２の穴まで導くことにより、対象物が第１の穴及び第２の穴に通され、その結果、ラベルは対象物に簡単に取り付けられる。その際、第１の折り曲げ線で折り曲げされて、第１の穴を有する部分と第２の穴を有する部分とが非平行状態となるので、外力が印加されてラベルの他方の端が対象物に近づく方向に回転した場合にも、第１の穴及び第２の穴のどちらか一方の縁端に対象物からの力が印加されて回転を抑止するように働くため、簡単に外れにくい。もちろん、粘着部が存在しないので、水分や埃等の存在する使用環境に対して耐性のあるラベルを作成可能である。
【００１０】
第１の切り込み線又はスリットが、第１の折り曲げ線に直交する又は斜めに交差する直線状の切り込み線又はスリットであることが好ましい。
【００１１】
第１の折り曲げ線よりもさらに一方の端側に第２の折り曲げ線が形成されており、第２の折り曲げ線で折り畳みした際に第１の穴と重畳する位置に第３の穴が形成されており、第３の穴に連続しラベルの側縁に達する第２の切り込み線が形成されていることも好ましい。
【００１２】
第１の穴及び第２の穴の各々が、周縁の一部が連結されている開口可能な穴であることも好ましい。
【００１３】
本発明によれば、さらに、複数の、上述したラベルが、一端から他端へ伸長しておりかつ外周分離加工線を介して互いに並列に連結配置されているラベル用紙が提供される。
【発明の効果】
【００１４】
本発明によれば、第１の折り曲げ線で折り畳みをすると、第１の切り込み線又はスリットがこの第１の折り曲げ線上で開口可能となり、細長い対象物（例えば、植物の枝等）をこの開口部分を介して第１の切り込み線又はスリットに沿って進め、互いに重畳されている第１の穴及び第２の穴に通すことにより、ラベルは対象物に簡単に取り付けられる。その際、第１の折り曲げ線で折り曲げされて、第１の穴を有する部分と第２の穴を有する部分とが非平行状態となるので、外力が印加されてラベルの他方の端が対象物に近づく方向に回転した場合にも、第１の穴及び第２の穴のどちらか一方が回転の止点となって働くため、簡単に外れにくい。もちろん、粘着部が存在しないので、水分や埃等の存在する使用環境に対して耐性のあるラベルを作成可能である。
【図面の簡単な説明】
【００１５】
【図１】本発明の第１の実施形態におけるラベルの構成を概略的に示す平面図であり、（Ａ)は折り曲げ前の状態、（Ｂ)は完全に重なるように折り畳んだ状態をそれぞれ示している。
【図２】図１の第１の実施形態におけるラベルを実際に使用している状態を説明する斜視図である。
【図３】図１の第１の実施形態におけるラベルの作用効果を説明する側面図である。
【図４】図１の第１の実施形態におけるラベルを複数備えたラベル用紙の構成を概略的に示す平面図である。
【図５】本発明の第２の実施形態におけるラベルの構成を概略的に示す平面図である。
【図６】本発明の第３の実施形態におけるラベルの構成を概略的に示す平面図である。
【図７】本発明の第４の実施形態におけるラベルの構成を概略的に示す平面図であり、（Ａ)は折り曲げ前の状態、（Ｂ)は完全に重なるように折り畳んだ状態をそれぞれ示している。
【図８】本発明の第５の実施形態におけるラベルの構成を概略的に示す平面図であり、（Ａ)は折り曲げ前の状態、（Ｂ)は完全に重なるように折り畳んだ状態をそれぞれ示している。
【図９】本発明の第６の実施形態におけるラベルの構成を概略的に示す平面図であり、（Ａ)は折り曲げ前の状態、（Ｂ)は完全に重なるように折り畳んだ状態をそれぞれ示している。
【図１０】本発明の第７の実施形態におけるラベルの構成を概略的に示す平面図であり、（Ａ)は折り曲げ前の状態、（Ｂ)は完全に重なるように折り畳んだ状態をそれぞれ示している。
【図１１】本発明の第８の実施形態におけるラベルの構成を概略的に示す平面図である。
【図１２】本発明の第９の実施形態におけるラベルの構成を概略的に示す平面図である。
【図１３】本発明の第１０の実施形態におけるラベルの構成を概略的に示す平面図である。
【発明を実施するための形態】
【００１６】
図１は本発明の第１の実施形態におけるラベルの構成を概略的に示しており、（Ａ)は折り曲げ前の状態、（Ｂ)は完全に重なるように折り畳んだ状態をそれぞれ示している。また、図２は本実施形態におけるラベルを実際に使用している状態を説明しており、図３は本実施形態におけるラベルの作用効果を説明している。
【００１７】
図１において、１０は望ましくは耐水性を有する紙から形成された全体が等幅のストリップ状のラベル、１１はラベル１０の基端（本発明の一端に対応する）、１２はラベル１０の基端１１とは反対側の端である自由端、１３は基端１１に近い折り曲げ位置に形成されておりラベル１０の伸長方向に垂直な折り曲げ線（本発明の第１の折り曲げ線に対応する）、１４は折り曲げ線１３より基端１１側の部分に形成された第１の貫通穴（本発明の第１の穴に対応する）、１５は折り曲げ線１３より自由端１２側の部分に形成された第２の貫通穴（本発明の第２の穴に対応する）、１６は一端が第１の貫通穴１４に連通していると共に他端が第２の貫通穴１５に連通しており、折り曲げ線１３に垂直な（ラベル１０の伸長方向に平行な）１本の切り込み線（本発明の第１の切り込み線に対応する）をそれぞれ示している。
【００１８】
第１の貫通穴１４と第２の貫通穴１５とは、ラベル１０を折り曲げ線１３で折り畳みして完全に積み重なるようにした際に、互いに重畳する位置に形成されている。なお、ラベル１０は、折り曲げ線１３で折り曲げした後に手を離すと、第１の貫通穴１４を有する部分と第２の貫通穴１５を有する部分とが、完全に積層された状態とはならず、弾性により、これらの部分の曲げ角度が０度より大きく開くように、即ち、互いに非平行状態となるように構成されている。
【００１９】
ラベル１０における、第２の貫通穴１５より自由端１２側の部分は表示部１０ａ、第１の貫通穴１４及び第２の貫通穴１５の部分は取り付け部１０ｂとして構成されている。表示部１０ａに、所望の情報、例えばラベル１０を取り付ける対象物１７の名称、型番、価格、バーコード等の一次元コード、若しくはＱＲコード（登録商標）等の二次元コード、又はその他の情報、図、デザイン、若しくはイラスト等が、例えばプリンタによって描かれる。
【００２０】
ラベル１０は、これらを書き込み可能であり、ある程度の耐水性及びある程度の強度を有する材料であることが望ましいが、このラベル１０を屋内で使用する場合には、耐水性がなくとも良い。ラベル１０は、例えば二軸延伸フィルム、一軸延伸フィルム、無延伸フィルム、その他のプラスチック用紙、不織布、又は含浸紙等で構成される。ラベル１０のサイズ及び形状は、任意である。
【００２１】
次に、本実施形態におけるラベル１０の使用方法及び作用効果について説明する。
【００２２】
図１（Ａ)に示すように作製されたラベル１０の取り付け部１０ｂにおいて、折り曲げ線１３に沿って折り曲げして折り畳むことにより、図１（Ｂ)に示すように、第１の貫通穴１４を有する部分と第２の貫通穴１５を有する部分とが完全に積み重なるようにする。
【００２３】
これにより、切り込み線１６がこの折り曲げ線１３上で開口可能となり、図２に示すように、例えば植物の枝等の細長い対象物１７をこの開口部分に挿入して切り込み線１６内に割り込ませて案内し、互いに重畳されている第１の貫通穴１４及び第２の貫通穴１５まで導くことにより、対象物１７が第１の貫通穴１４及び第２の貫通穴１５に通される。その結果、ラベル１０を対象物１７に非常に容易に取り付けることができる。
【００２４】
このように取り付けられたラベル１０は、図２及び図３に示すように、取り付け部１０ｂの第１の貫通穴１４を有する部分１０ｂ１と第２の貫通穴１５を有する部分１０ｂ２とが非平行状態となるように、即ち、第１の貫通穴１４を有する部分１０ｂ１と第２の貫通穴１５を有する部分１０ｂ２とが、完全に積層された状態とはならず、これらの部分の曲げ角度が０度より大きくなるように折り曲げ線１３を中心として折り曲げされた状態となる。
【００２５】
このため、図３に示すように、ラベル１０に、その自由端１２側が矢印ａ方向に回転する外力が印加された場合に、第２の貫通穴１５の自由端１２側の周縁１５ａに対象物１７からの力が印加されて回転を抑止するように働き、その自由端１２側が矢印ｂ方向に回転する外力が印加された場合に、第１の貫通穴１４の基端１１側の周縁１４ａに対象物１７からの力が印加されて回転を抑止するように働く。その結果、ラベル１０は、対象物１７から簡単には外れにくくなる。
【００２６】
以上説明したように、本実施形態によれば、植物の枝等の細長い対象物１７を切り込み線１６を介して、重畳した第１の貫通穴１４及び第２の貫通穴１５に通すことにより、非常に容易にラベルの取り付けを行うことができる。また、第１の貫通穴１４を有する部分１０ｂ１と第２の貫通穴１５を有する部分１０ｂ２とが非平行状態となっているため、ラベル１０は、対象物１７から簡単には外れにくくなる。もちろん、粘着部が存在しないので、水分や埃等の存在する使用環境に対して耐性のあるラベルを作成可能である。
【００２７】
次に、本実施形態におけるラベル１０の作製方法について説明する。ただし、以下に述べる方法は、作製方法の一例であり、本実施形態のラベルは他の種々の方法で作製することができる。
【００２８】
図４は本実施形態におけるラベル１０を複数備えたラベル用紙１８を示している。このラベル用紙１８は、プリンタによって印刷可能に構成されており、望ましくは耐水性を有する、例えばＡ４等の定形用紙である。ラベル用紙１８は互いに並列に連結配置されている複数のラベル１０を備えており、隣接するラベル１０の境界には、印刷後に各ラベル１０を個々に分離可能とするミシン目１９（本発明の外周分離加工線に対応する）が設けられている。なお、本発明における外周分離加工線を、ミシン目１９に代えて一部を仮止めした切込み線で構成しても良い。
【００２９】
前述したように、ラベル用紙１９は、印刷可能であり、ある程度の耐水性及びある程度の強度を有する材料であることが望ましいが、ラベル１０を屋内で使用する場合には、耐水性がなくとも良い。ラベル用紙１９は、例えば二軸延伸フィルム、一軸延伸フィルム、無延伸フィルム、その他のプラスチック用紙、不織布、又は含浸紙等で構成される。ラベル用紙１９のサイズも、Ａ４に限定することなく、使用用途に応じていかなるサイズのものを用いても良い。
【００３０】
ラベル１０を作製する場合、まず、図４に示すごときラベル用紙１９を用意し、この用紙に、レーザプリンタ、インクジェットプリンタ又はその他のプリンタを用いて、印刷を行う。例えば、各ラベル１０の表示部１０ａに所望の情報、例えばラベルを巻き付ける対象の名称、型番、価格、バーコード等の一次元コード、若しくはＱＲコード（登録商標）等の二次元コード、又はその他の情報、図、デザイン、若しくはイラスト等が、例えばプリンタによって印刷される。次いで、ミシン目１９に沿って切取りを行うことにより、図１に示すような個々のラベル１０に分離する。
【００３１】
図５は本発明の第２の実施形態におけるラベルの構成を概略的に示している。本実施形態のラベルは、取り付ける対象物の径が大きい場合にも適用可能である。
【００３２】
図５において、５０は望ましくは耐水性を有する紙から形成されており幅が一部異なるストリップ状のラベル、５１はラベル５０の基端（本発明の一端に対応する）、５２はラベル５０の基端５１とは反対側の端である自由端、５３は基端５１に近い折り曲げ位置に形成されておりラベル５０の伸長方向に垂直な折り曲げ線（本発明の第１の折り曲げ線に対応する）、５４は折り曲げ線５３より基端５１側の部分に形成された第１の貫通穴（本発明の第１の穴に対応する）、５５は折り曲げ線５３より自由端５２側の部分に形成された第２の貫通穴（本発明の第２の穴に対応する）、５６は一端が第１の貫通穴５４に連通していると共に他端が第２の貫通穴５５に連通しており、折り曲げ線５３に垂直な（ラベル５０の伸長方向に平行な）１本の切り込み線（本発明の第１の切り込み線に対応する）をそれぞれ示している。
【００３３】
第１の貫通穴５４と第２の貫通穴５５とは、ラベル５０を折り曲げ線５３で折り畳みして完全に積み重なるようにした際に、互いに重畳する位置に形成されている。なお、ラベル５０は、折り曲げ線５３で折り曲げした後に手を離すと、第１の貫通穴５４を有する部分と第２の貫通穴５５を有する部分とが、完全に積層された状態とはならず、弾性により、これらの部分の曲げ角度が０度より大きく開くように、即ち、互いに非平行状態となるように構成されている。
【００３４】
ラベル５０における、第２の貫通穴５５より自由端５２側の部分は表示部５０ａ、第１の貫通穴５４及び第２の貫通穴５５の部分は取り付け部５０ｂとして構成されている。本実施形態においては、取り付け部５０ｂの幅は表示部５０ａの幅より大きく構成されており、従って、第１の貫通穴５４及び第２の貫通穴５５の径は、図１の第１の実施形態における第１の貫通穴１４及び第２の貫通穴１５より大きく設定されている。
【００３５】
表示部５０ａには、所望の情報、例えばラベル５０を取り付ける対象物の名称、型番、価格、バーコード等の一次元コード、若しくはＱＲコード（登録商標）等の二次元コード、又はその他の情報、図、デザイン、若しくはイラスト等が、例えばプリンタによって描かれる。
【００３６】
ラベル５０は、これらを書き込み可能であり、ある程度の耐水性及びある程度の強度を有する材料であることが望ましいが、このラベル５０を屋内で使用する場合には、耐水性がなくとも良い。ラベル５０は、例えば二軸延伸フィルム、一軸延伸フィルム、無延伸フィルム、その他のプラスチック用紙、不織布、又は含浸紙等で構成される。ラベル５０のサイズ及び形状は、任意である。
【００３７】
本実施形態におけるラベル５０の使用方法、作用効果及び作製方法は、図１の第１の実施形態におけるラベルの場合と同様である。
【００３８】
図６は本発明の第３の実施形態におけるラベルの構成を概略的に示している。本実施形態のラベルは、表示部の面積をより大きくしたものである。
【００３９】
図６において、６０は望ましくは耐水性を有する紙から形成されており幅が一部異なるストリップ状のラベル、６１はラベル６０の基端（本発明の一端に対応する）、６２はラベル６０の基端６１とは反対側の端である自由端、６３は基端６１に近い折り曲げ位置に形成されておりラベル６０の伸長方向に垂直な折り曲げ線（本発明の第１の折り曲げ線に対応する）、６４は折り曲げ線６３より基端６１側の部分に形成された第１の貫通穴（本発明の第１の穴に対応する）、６５は折り曲げ線６３より自由端６２側の部分に形成された第２の貫通穴（本発明の第２の穴に対応する）、６６は一端が第１の貫通穴６４に連通していると共に他端が第２の貫通穴６５に連通しており、折り曲げ線６３に垂直な（ラベル６０の伸長方向に平行な）１本の切り込み線（本発明の第１の切り込み線に対応する）をそれぞれ示している。
【００４０】
第１の貫通穴６４と第２の貫通穴６５とは、ラベル６０を折り曲げ線６３で折り畳みして完全に積み重なるようにした際に、互いに重畳する位置に形成されている。なお、ラベル６０は、折り曲げ線６３で折り曲げした後に手を離すと、第１の貫通穴６４を有する部分と第２の貫通穴６５を有する部分とが、完全に積層された状態とはならず、弾性により、これらの部分の曲げ角度が０度より大きく開くように、即ち、互いに非平行状態となるように構成されている。
【００４１】
ラベル６０における、第２の貫通穴６５より自由端６２側の部分は表示部６０ａ、第１の貫通穴６４及び第２の貫通穴６５の部分は取り付け部６０ｂとして構成されている。本実施形態においては、表示部６０ａの幅は取り付け部６０ｂの幅よりかなり大きく構成されており、従って、ラベル６０により多くの情報を記載することが可能となっている。
【００４２】
表示部６０ａには、所望の情報、例えばラベル６０を取り付ける対象物の名称、型番、価格、バーコード等の一次元コード、若しくはＱＲコード（登録商標）等の二次元コード、又はその他の情報、図、デザイン、若しくはイラスト等が、例えばプリンタによって描かれる。
【００４３】
ラベル６０は、これらを書き込み可能であり、ある程度の耐水性及びある程度の強度を有する材料であることが望ましいが、このラベル６０を屋内で使用する場合には、耐水性がなくとも良い。ラベル６０は、例えば二軸延伸フィルム、一軸延伸フィルム、無延伸フィルム、その他のプラスチック用紙、不織布、又は含浸紙等で構成される。ラベル６０のサイズ及び形状は、任意である。
【００４４】
本実施形態におけるラベル６０の使用方法、作用効果及び作製方法は、図１の第１の実施形態におけるラベルの場合と同様である。
【００４５】
図７は本発明の第４の実施形態におけるラベルの構成を概略的に示しており、（Ａ)は折り曲げ前の状態、（Ｂ)は完全に重なるように折り畳んだ状態をそれぞれ示している。本実施形態のラベルは、切り込み線の伸長方向が図１の第１の実施形態の場合と異なっている。
【００４６】
図７において、７０は望ましくは耐水性を有する紙から形成された全体が等幅のストリップ状のラベル、７１はラベル７０の基端（本発明の一端に対応する）、７２はラベル７０の基端７１とは反対側の端である自由端、７３は基端７１に近い折り曲げ位置に形成されておりラベル７０の伸長方向に垂直な折り曲げ線（本発明の第１の折り曲げ線に対応する）、７４は折り曲げ線７３より基端７１側の部分に形成された第１の貫通穴（本発明の第１の穴に対応する）、７５は折り曲げ線７３より自由端７２側の部分に形成された第２の貫通穴（本発明の第２の穴に対応する）、７６は一端が第１の貫通穴７４に連通していると共に他端が第２の貫通穴７５に連通しており、折り曲げ線７３に斜めに交差する（ラベル７０の伸長方向に対して斜めの）１本の切り込み線（本発明の第１の切り込み線に対応する）をそれぞれ示している。
【００４７】
第１の貫通穴７４と第２の貫通穴７５とは、ラベル７０を折り曲げ線７３で折り畳みして完全に積み重なるようにした際に、互いに重畳する位置に形成されている。なお、ラベル７０は、折り曲げ線７３で折り曲げした後に手を離すと、第１の貫通穴７４を有する部分と第２の貫通穴７５を有する部分とが、完全に積層された状態とはならず、弾性により、これらの部分の曲げ角度が０度より大きく開くように、即ち、互いに非平行状態となるように構成されている。
【００４８】
ラベル７０における、第２の貫通穴７５より自由端７２側の部分は表示部７０ａ、第１の貫通穴７４及び第２の貫通穴７５の部分は取り付け部７０ｂとして構成されている。表示部７０ａには、所望の情報、例えばラベル７０を取り付ける対象物の名称、型番、価格、バーコード等の一次元コード、若しくはＱＲコード（登録商標）等の二次元コード、又はその他の情報、図、デザイン、若しくはイラスト等が、例えばプリンタによって描かれる。
【００４９】
ラベル７０は、これらを書き込み可能であり、ある程度の耐水性及びある程度の強度を有する材料であることが望ましいが、このラベル７０を屋内で使用する場合には、耐水性がなくとも良い。ラベル７０は、例えば二軸延伸フィルム、一軸延伸フィルム、無延伸フィルム、その他のプラスチック用紙、不織布、又は含浸紙等で構成される。ラベル７０のサイズ及び形状は、任意である。
【００５０】
次に、本実施形態におけるラベル７０の使用方法及び作用効果について説明する。
【００５１】
図７（Ａ)に示すように作製されたラベル７０の取り付け部７０ｂにおいて、折り曲げ線７３に沿って折り曲げして折り畳むことにより、図７（Ｂ)に示すように、第１の貫通穴７４を有する部分と第２の貫通穴７５を有する部分とが完全に積み重なるようにする。
【００５２】
これにより、切り込み線７６がこの折り曲げ線７３上で開口可能となり、例えば植物の枝等の細長い対象物をこの開口部分に挿入し、２方向に進む切り込み線７６内にそれぞれ割り込ませて案内し、互いに重畳されている第１の貫通穴７４及び第２の貫通穴７５まで導くことにより、対象物が第１の貫通穴７４及び第２の貫通穴７５に通される。その結果、ラベル７０を対象物に容易に取り付けることができる。
【００５３】
このように取り付けられたラベル７０は、取り付け部７０ｂの第１の貫通穴７４を有する部分と第２の貫通穴７５を有する部分とが非平行状態となるように、即ち、第１の貫通穴７４を有する部分と第２の貫通穴７５を有する部分とが、完全に積層された状態とはならず、これらの部分の曲げ角度が０度より大きくなるように折り曲げ線７３を中心として折り曲げされた状態となる。
【００５４】
このため、ラベル７０に、その自由端７２側が（図３の）矢印ａ方向に回転する外力が印加された場合に、第２の貫通穴７５の自由端７２側の周縁に対象物からの力が印加されて回転を抑止するように働き、その自由端７２側が（図３の）矢印ｂ方向に回転する外力が印加された場合に、第１の貫通穴７４の基端７１側の周縁に対象物からの力が印加されて回転を抑止するように働く。その結果、ラベル７０は、対象物から簡単には外れにくくなる。特に、本実施形態は、第１の貫通穴７４及び第２の貫通穴７５を重畳した際の、第１の貫通穴７４への切り込み線７６の連通位置と第２の貫通穴７５への切り込み線７６の連通位置とが互いに異なっているため、対象物が非常に外れにくいという利点を有している。
【００５５】
以上説明したように、本実施形態によれば、植物の枝等の細長い対象物を切り込み線７６を介して、重畳した第１の貫通穴７４及び第２の貫通穴７５に通すことにより、非常に容易にラベルの取り付けを行うことができる。また、第１の貫通穴７４を有する部分と第２の貫通穴７５を有する部分とが非平行状態となっているため、ラベル７０は、対象物から簡単には外れにくくなる。さらに、本実施形態では、第１の貫通穴７４への切り込み線７６の連通位置と第２の貫通穴７５への切り込み線７６の連通位置とが異なる位置であるため、対象物がより外れにくいという利点を有している。もちろん、粘着部が存在しないので、水分や埃等の存在する使用環境に対して耐性のあるラベルを作成可能である。
【００５６】
本実施形態におけるラベル７０の作製方法は、図１の第１の実施形態におけるラベルの場合と同様である。
【００５７】
図８は第５の実施形態におけるラベルの構成を概略的に示しており、（Ａ)は折り曲げ前の状態、（Ｂ)は完全に重なるように折り畳んだ状態をそれぞれ示している。本実施形態のラベルは、切り込み線に代えてスリットが用いられている。
【００５８】
図８において、８０は望ましくは耐水性を有する紙から形成された全体が等幅のストリップ状のラベル、８１はラベル８０の基端（本発明の一端に対応する）、８２はラベル８０の基端８１とは反対側の端である自由端、８３は基端８１に近い折り曲げ位置に形成されておりラベル８０の伸長方向に垂直な折り曲げ線（本発明の第１の折り曲げ線に対応する）、８４は折り曲げ線８３より基端８１側の部分に形成された第１の貫通穴（本発明の第１の穴に対応する）、８５は折り曲げ線８３より自由端８２側の部分に形成された第２の貫通穴（本発明の第２の穴に対応する）、８６は一端が第１の貫通穴８４に連通していると共に他端が第２の貫通穴８５に連通しており、折り曲げ線８３に垂直な（ラベル８０の伸長方向に平行な）１本のスリット（本発明の第１のスリットに対応する）をそれぞれ示している。
【００５９】
第１の貫通穴８４と第２の貫通穴８５とは、ラベル８０を折り曲げ線８３で折り畳みして完全に積み重なるようにした際に、互いに重畳する位置に形成されている。ただし、本実施形態において、第１の貫通穴８４及び第２の貫通穴８５並びにスリット８６は、最初から開口しておらず、その外周部に切り込み線が入った抜き部として形成されている。この抜き部は、第２の貫通穴８５の自由端８２側の位置に形成された連結部８５ａを介してラベル８０と連結されている。このような連結部８５ａを設けることにより、抜き部を開口させた際にその抜きカスの除去作業も不要であるため、製造のコストアップは生じない。
【００６０】
なお、ラベル８０は、折り曲げ線８３で折り曲げした後に手を離すと、第１の貫通穴８４を有する部分と第２の貫通穴８５を有する部分とが、完全に積層された状態とはならず、弾性により、これらの部分の曲げ角度が０度より大きく開くように、即ち、互いに非平行状態となるように構成されている。
【００６１】
ラベル８０における、第２の貫通穴８５より自由端８２側の部分は表示部８０ａ、第１の貫通穴８４及び第２の貫通穴８５の部分は取り付け部８０ｂとして構成されている。表示部８０ａには、所望の情報、例えばラベル８０を取り付ける対象物の名称、型番、価格、バーコード等の一次元コード、若しくはＱＲコード（登録商標）等の二次元コード、又はその他の情報、図、デザイン、若しくはイラスト等が、例えばプリンタによって描かれる。
【００６２】
ラベル８０は、これらを書き込み可能であり、ある程度の耐水性及びある程度の強度を有する材料であることが望ましいが、このラベル８０を屋内で使用する場合には、耐水性がなくとも良い。ラベル８０は、例えば二軸延伸フィルム、一軸延伸フィルム、無延伸フィルム、その他のプラスチック用紙、不織布、又は含浸紙等で構成される。ラベル８０のサイズ及び形状は、任意である。
【００６３】
次に、本実施形態におけるラベル８０の使用方法及び作用効果について説明する。
【００６４】
図８（Ａ)に示すように作製されたラベル８０の取り付け部８０ｂにおいて、折り曲げ線８３に沿って折り曲げして折り畳むことにより、図８（Ｂ)に示すように、第１の貫通穴８４を有する部分と第２の貫通穴８５を有する部分とが完全に積み重なるようにする。
【００６５】
これにより、スリット８６がこの折り曲げ線８３上で開口可能となり、例えば植物の枝等の細長い対象物をこの開口部分に挿入してスリット８６内に割り込ませて案内し、互いに重畳されている第１の貫通穴８４及び第２の貫通穴８５まで導くことにより、対象物が第１の貫通穴８４及び第２の貫通穴８５に通される。その結果、ラベル８０を対象物に非常に容易に取り付けることができる。
【００６６】
このように取り付けられたラベル８０は、取り付け部８０ｂの第１の貫通穴８４を有する部分と第２の貫通穴８５を有する部分とが非平行状態となるように、即ち、第１の貫通穴８４を有する部分と第２の貫通穴８５を有する部分とが、完全に積層された状態とはならず、これらの部分の曲げ角度が０度より大きくなるように折り曲げ線８３を中心として折り曲げされた状態となる。
【００６７】
このため、ラベル８０に、その自由端８２側が（図３の）矢印ａ方向に回転する外力が印加された場合に、第２の貫通穴８５の自由端８２側の周縁に対象物からの力が印加されて回転を抑止するように働き、その自由端８２側が（図３の）矢印ｂ方向に回転する外力が印加された場合に、第１の貫通穴８４の基端８１側の周縁に対象物からの力が印加されて回転を抑止するように働く。その結果、ラベル８０は、対象物から簡単には外れにくくなる。
【００６８】
以上説明したように、本実施形態によれば、植物の枝等の細長い対象物をスリット８６を介して、重畳した第１の貫通穴８４及び第２の貫通穴８５に通すことにより、非常に容易にラベルの取り付けを行うことができる。また、第１の貫通穴８４を有する部分と第２の貫通穴８５を有する部分とが非平行状態となっているため、ラベル８０は、対象物から簡単には外れにくくなる。もちろん、粘着部が存在しないので、水分や埃等の存在する使用環境に対して耐性のあるラベルを作成可能である。
【００６９】
本実施形態におけるラベル８０の作製方法は、図１の第１の実施形態におけるラベルの場合と同様である。
【００７０】
図９は本発明の第６の実施形態におけるラベルの構成を概略的に示しており、（Ａ)は折り曲げ前の状態、（Ｂ)は完全に重なるように折り畳んだ状態をそれぞれ示している。本実施形態のラベルは、切り込み線に代えてスリットが用いられており、スリットの伸長方向が図８の実施形態の場合と異なっている。
【００７１】
図９において、９０は望ましくは耐水性を有する紙から形成された全体が等幅のストリップ状のラベル、９１はラベル９０の基端（本発明の一端に対応する）、９２はラベル９０の基端９１とは反対側の端である自由端、９３は基端９１に近い折り曲げ位置に形成されておりラベル９０の伸長方向に垂直な折り曲げ線（本発明の第１の折り曲げ線に対応する）、９４は折り曲げ線９３より基端９１側の部分に形成された第１の貫通穴（本発明の第１の穴に対応する）、９５は折り曲げ線９３より自由端９２側の部分に形成された第２の貫通穴（本発明の第２の穴に対応する）、９６は一端が第１の貫通穴９４に連通していると共に他端が第２の貫通穴９５に連通しており、折り曲げ線９３に斜めに交差する（ラベル９０の伸長方向に対して斜めの）１本のスリット（本発明の第１のスリットに対応する）をそれぞれ示している。
【００７２】
第１の貫通穴９４と第２の貫通穴９５とは、ラベル９０を折り曲げ線９３で折り畳みして完全に積み重なるようにした際に、互いに重畳する位置に形成されている。ただし、本実施形態において、第１の貫通穴９４及び第２の貫通穴９５並びにスリット９６は、最初から開口しておらず、その外周部に切り込み線が入った抜き部として形成されている。この抜き部は、第２の貫通穴９５の自由端９２側の位置に形成された連結部９５ａを介してラベル９０と連結されている。このような連結部９５ａを設けることにより、抜き部を開口させた際にその抜きカスの除去作業も不要であるため、製造のコストアップは生じない。
【００７３】
なお、ラベル９０は、折り曲げ線９３で折り曲げした後に手を離すと、第１の貫通穴９４を有する部分と第２の貫通穴９５を有する部分とが、完全に積層された状態とはならず、弾性により、これらの部分の曲げ角度が０度より大きく開くように、即ち、互いに非平行状態となるように構成されている。
【００７４】
ラベル９０における、第２の貫通穴９５より自由端９２側の部分は表示部９０ａ、第１の貫通穴９４及び第２の貫通穴９５の部分は取り付け部９０ｂとして構成されている。表示部９０ａには、所望の情報、例えばラベル９０を取り付ける対象物の名称、型番、価格、バーコード等の一次元コード、若しくはＱＲコード（登録商標）等の二次元コード、又はその他の情報、図、デザイン、若しくはイラスト等が、例えばプリンタによって描かれる。
【００７５】
ラベル９０は、これらを書き込み可能であり、ある程度の耐水性及びある程度の強度を有する材料であることが望ましいが、このラベル９０を屋内で使用する場合には、耐水性がなくとも良い。ラベル９０は、例えば二軸延伸フィルム、一軸延伸フィルム、無延伸フィルム、その他のプラスチック用紙、不織布、又は含浸紙等で構成される。ラベル９０のサイズ及び形状は、任意である。
【００７６】
次に、本実施形態におけるラベル９０の使用方法及び作用効果について説明する。
【００７７】
図９（Ａ)に示すように作製されたラベル９０の取り付け部９０ｂにおいて、折り曲げ線９３に沿って折り曲げして折り畳むことにより、図９（Ｂ)に示すように、第１の貫通穴９４を有する部分と第２の貫通穴９５を有する部分とが完全に積み重なるようにする。
【００７８】
これにより、スリット９６がこの折り曲げ線９３上で開口可能となり、例えば植物の枝等の細長い対象物をこの開口部分に挿入し、２方向に進むスリット９６内にそれぞれ割り込ませて案内し、互いに重畳されている第１の貫通穴９４及び第２の貫通穴９５まで導くことにより、対象物が第１の貫通穴９４及び第２の貫通穴９５に通される。その結果、ラベル９０を対象物に容易に取り付けることができる。
【００７９】
このように取り付けられたラベル９０は、取り付け部９０ｂの第１の貫通穴９４を有する部分と第２の貫通穴９５を有する部分とが非平行状態となるように、即ち、第１の貫通穴９４を有する部分と第２の貫通穴９５を有する部分とが、完全に積層された状態とはならず、これらの部分の曲げ角度が０度より大きくなるように折り曲げ線９３を中心として折り曲げされた状態となる。
【００８０】
このため、ラベル９０に、その自由端９２側が（図３の）矢印ａ方向に回転する外力が印加された場合に、第２の貫通穴９５の自由端９２側の周縁に対象物からの力が印加されて回転を抑止するように働き、その自由端９２側が（図３の）矢印ｂ方向に回転する外力が印加された場合に、第１の貫通穴９４の基端９１側の周縁に対象物からの力が印加されて回転を抑止するように働く。その結果、ラベル９０は、対象物から簡単には外れにくくなる。特に、本実施形態は、第１の貫通穴９４及び第２の貫通穴９５を重畳した際の、第１の貫通穴９４へのスリット９６の連通位置と第２の貫通穴９５へのスリット９６の連通位置とが互いに異なっているため、対象物が非常に外れにくいという利点を有している。
【００８１】
以上説明したように、本実施形態によれば、植物の枝等の細長い対象物をスリット９６を介して、重畳した第１の貫通穴９４及び第２の貫通穴９５に通すことにより、非常に容易にラベルの取り付けを行うことができる。また、第１の貫通穴９４を有する部分と第２の貫通穴９５を有する部分とが非平行状態となっているため、ラベル９０は、対象物から簡単には外れにくくなる。さらに、本実施形態では、第１の貫通穴９４へのスリット９６の連通位置と第２の貫通穴９５へのスリット９６の連通位置とが異なる位置であるため、対象物がより外れにくいという利点を有している。もちろん、粘着部が存在しないので、水分や埃等の存在する使用環境に対して耐性のあるラベルを作成可能である。
【００８２】
本実施形態におけるラベル９０の作製方法は、図１の第１の実施形態におけるラベルの場合と同様である。
【００８３】
図１０は本発明の第７の実施形態におけるラベルの構成を概略的に示しており、（Ａ)は折り曲げ前の状態、（Ｂ)は完全に重なるように折り畳んだ状態をそれぞれ示している。本実施形態のラベルは、図１の第１の実施形態のラベルに、第３の貫通穴及び第３の切り込み線をさらに設けている。
【００８４】
図１０において、１００は望ましくは耐水性を有する紙から形成された全体が等幅のストリップ状のラベル、１０１はラベル１００の基端（本発明の一端に対応する）、１０２はラベル１００の基端１０１とは反対側の端である自由端、１０３ａは基端１０１に近い折り曲げ位置に形成されておりラベル１００の伸長方向に垂直な第１の折り曲げ線（本発明の第１の折り曲げ線に対応する）、１０３ｂは第１の折り曲げ線１０３ａよりさらに基端１０１に近い折り曲げ位置に形成されておりラベル１００の伸長方向（軸方向）に垂直な第２の折り曲げ線（本発明の第２の折り曲げ線に対応する）、１０４は第１の折り曲げ線１０３ａより基端１０１側でありかつ第２の折り曲げ線１０３ｂより自由端１０２側の部分に形成された第１の貫通穴（本発明の第１の穴に対応する）、１０５は第１の折り曲げ線１０３ａより自由端１０２側の部分に形成された第２の貫通穴（本発明の第２の穴に対応する）、１０８は第２の折り曲げ線１０３ｂより基端１０１側の部分に形成された第３の貫通穴（本発明の第３の穴に対応する）、１０６ａは一端が第１の貫通穴１０４に連通していると共に他端が第２の貫通穴１０５に連通しており、第１の折り曲げ線１０３ａに垂直な（ラベル１００の伸長方向に平行な）１本の第１の切り込み線（本発明の第１の切り込み線に対応する）、１０６ｂは一端が第３の貫通穴１０８に連通していると共に他端がラベル１００の側縁に達しており、第２の折り曲げ線１０３ｂに垂直な（ラベル１００の伸長方向に平行な）１本の第２の切り込み線（本発明の第２の切り込み線に対応する）をそれぞれ示している。
【００８５】
第１の貫通穴１０４と第２の貫通穴１０５とは、ラベル１００を第１の折り曲げ線１０３ａで折り畳みして完全に積み重なるようにした際に、互いに重畳する位置に形成されている。さらに、第３の貫通穴１０８はラベル１００を第２の折り曲げ線１０３ｂで折り畳みして完全に積み重なるようにした際に、第１の貫通穴１０４及び第２の貫通穴１０５に重畳する位置に形成されている。
【００８６】
なお、ラベル１００は、第１の折り曲げ線１０３ａ及び第２の折り曲げ線１０３ｂで折り曲げした後に手を離すと、第１の貫通穴１０４を有する部分と第２の貫通穴１０５を有する部分とが、さらに、第１の貫通穴１０４を有する部分と第３の貫通穴１０８を有する部分とが完全に積層された状態とはならず、弾性により、これらの部分の曲げ角度が０度より大きく開くように、即ち、互いに非平行状態となるように構成されている。
【００８７】
ラベル１００における、第２の貫通穴１０５より自由端１０２側の部分は表示部１００ａ、第１の貫通穴１０４、第２の貫通穴１０５及び第３の貫通穴１０８の部分は取り付け部１００ｂとして構成されている。表示部１００ａに、所望の情報、例えばラベル１００を取り付ける対象物の名称、型番、価格、バーコード等の一次元コード、若しくはＱＲコード（登録商標）等の二次元コード、又はその他の情報、図、デザイン、若しくはイラスト等が、例えばプリンタによって描かれる。
【００８８】
ラベル１００は、これらを書き込み可能であり、ある程度の耐水性及びある程度の強度を有する材料であることが望ましいが、このラベル１００を屋内で使用する場合には、耐水性がなくとも良い。ラベル１００は、例えば二軸延伸フィルム、一軸延伸フィルム、無延伸フィルム、その他のプラスチック用紙、不織布、又は含浸紙等で構成される。ラベル１００のサイズ及び形状は、任意である。
【００８９】
次に、本実施形態におけるラベル１００の使用方法及び作用効果について説明する。
【００９０】
図１０（Ａ)に示すように作製されたラベル１００の取り付け部１００ｂにおいて、第１の折り曲げ線１０３ａ及び第２の折り曲げ線１０３ｂに沿ってそれぞれ折り曲げして折り畳むことにより、図１０（Ｂ)に示すように、第１の貫通穴１０４を有する部分と第２の貫通穴１０５を有する部分と第３の貫通穴１０８を有する部分とが完全に積み重なるようにする。
【００９１】
これにより、第１の切り込み線１０６ａが第１の折り曲げ線１０３ａ上で開口可能となる。一方、第２の切り込み線１０６ｂはラベル１００の側縁で開口する。例えば植物の枝等の細長い対象物をこれら開口部分に挿入して第１の切り込み線１０６ａ及び第２の切り込み線１０６ｂ内に割り込ませて案内し、互いに重畳されている第１の貫通穴１０４、第２の貫通穴１０５及び第３の貫通穴１０８まで導くことにより、対象物が第１の貫通穴１０４、第２の貫通穴１０５及び第３の貫通穴１０８に通される。その結果、ラベル１００を対象物に容易に取り付けることができる。
【００９２】
このように取り付けられたラベル１００は、取り付け部１００ｂの第１の貫通穴１０４を有する部分と第２の貫通穴１０５を有する部分とが非平行状態となるように、即ち、第１の貫通穴１０４を有する部分と第２の貫通穴１０５を有する部分とが、完全に積層された状態とはならず、これらの部分の曲げ角度が０度より大きくなるように第１の折り曲げ線１０３ａを中心として折り曲げされた状態となる。さらに、取り付け部１００ｂの第１の貫通穴１０４を有する部分と第３の貫通穴１０８を有する部分とが非平行状態となるように、即ち、第１の貫通穴１０４を有する部分と第３の貫通穴１０８を有する部分とが、完全に積層された状態とはならず、これらの部分の曲げ角度が０度より大きくなるように第２の折り曲げ線１０３ｂを中心として折り曲げされた状態となる。
【００９３】
このため、ラベル１００に、その自由端１０２側が（図３の）矢印ａ方向に回転する外力が印加された場合に、第２の貫通穴１０５の自由端１０２側の周縁に対象物からの力が印加されて回転を抑止するように働き、その自由端１０２側が（図３の）矢印ｂ方向に回転する外力が印加された場合に、第１の貫通穴１０４の基端１０１側の周縁に対象物からの力が印加されて回転を抑止するように働く。同様の動作が、第１の貫通穴１０４及び第３の貫通穴１０８の部分でも生じる。その結果、ラベル１００は、対象物から非常に外れにくくなる。特に、本実施形態は、第３の貫通穴１０８が設けられ、これに連通し、異なる方向に伸長する第２の切り込み線１０６ｂが設けられているため、対象物が非常に外れにくいという利点を有している。
【００９４】
なお、本実施形態において、第２の切り込み線１０６ｂは、一端が第３の貫通穴１０８に連通していると共に他端がラベル１００の一方の側縁に達しているが、この他端が例えば反対側の他方の側縁に達していても、基端１０１に達していても良い。また、側縁又は基端１０１に垂直に達するように構成しても、斜めに傾斜して達するように構成しても良い。
【００９５】
以上説明したように、本実施形態によれば、植物の枝等の細長い対象物を第１の切り込み線１０６ａ及び第２の切り込み線１０６ｂを介して、重畳した第１の貫通穴１０４、第２の貫通穴１０４及び第３の貫通穴１０８に通すことにより、非常に容易にラベルの取り付けを行うことができる。また、第１の貫通穴１０４を有する部分と第２の貫通穴１０５を有する部分と第３の貫通穴１０８を有する部分とが非平行状態となっているため、ラベル１００は、対象物から簡単には外れにくくなる。さらに、本実施形態では、第３の貫通穴１０８が設けられ、これに連通し、異なる方向に伸長する第２の切り込み線１０６ｂが設けられているため、対象物がより外れにくいという利点を有している。もちろん、粘着部が存在しないので、水分や埃等の存在する使用環境に対して耐性のあるラベルを作成可能である。
【００９６】
本実施形態におけるラベル１００の作製方法は、図１の第１の実施形態におけるラベルの場合と同様である。
【００９７】
なお、本実施形態は、図１の第１の実施形態におけるラベルに第３の貫通穴及び第２の切り込み線を付加した構成となっているが、図５、図６又は図７の第２、第３又は第４の実施形態におけるラベルに第３の貫通穴及び第２の切り込み線を付加した構成としても良いし、図８又は図９の第５又は第６の実施形態におけるラベルに第３の貫通穴及び第２のスリットを付加した構成としても良いことはもちろんである。
【００９８】
図１１は本発明の第８の実施形態におけるラベルの構成を概略的に示している。本実施形態のラベルは、図１の第１の実施形態のラベルにおける貫通穴に代えて、その周縁の一部が連結されている開口可能な穴が設けられている。
【００９９】
図１１において、１１０は望ましくは耐水性を有する紙から形成された全体が等幅のストリップ状のラベル、１１１はラベル１１０の基端（本発明の一端に対応する）、１１２はラベル１１０の基端１１１とは反対側の端である自由端、１１３は基端１１１に近い折り曲げ位置に形成されておりラベル１１０の伸長方向に垂直な折り曲げ線（本発明の第１の折り曲げ線に対応する）、１１４は折り曲げ線１１３より基端１１１側の部分に形成された第１の穴、１１５は折り曲げ線１１３より自由端１１２側の部分に形成された第２の穴をそれぞれ示している。
【０１００】
第１の穴１１４は、その内側領域が周縁の２つの連結部１１４ａのみでラベル１１０に連結されており、周縁のその他の部分には切り込み線１１４ｂが形成されている。また、第１の穴１１４の内側領域は、２つの連結部１１４ａをそれぞれが有する２つの半円となるように中心線に沿って切り込み線１１４ｃが形成されている。第２の穴１１５は、その内側領域が周縁の２つの連結部１１５ａのみでラベル１１０に連結されており、周縁のその他の部分には切り込み線１１５ｂが形成されている。また、第２の穴１１５の内側領域は、２つの連結部１１５ａをそれぞれが有する２つの半円となるように中心線に沿って切り込み線１１５ｃが形成されている。
【０１０１】
これら第１の穴１１４及び第２の穴１１５は、実際には、ラベル１１０の取り付けまでは非開口状態となっているが、ラベル１１０の取り付け時に切り込み線に沿った分離を行うことにより開口状態となる。即ち、図１１のラベル１１０の伸長方向から見た断面図に示すように、それらの穴部分が２分割され、連結部１１４ａ及び１１５ａを中心にそれぞれ折れ曲がることにより開口状態となる。
【０１０２】
ラベル１１０には、さらに、一端が第１の穴１１４の切り込み線１１４ｃに連続していると共に他端が第２の穴１１５の切り込み線１１５ｃに連続しており、折り曲げ線１１３に垂直な（ラベル１１０の伸長方向に平行な）１本の切り込み線１１６（本発明の第１の切り込み線に対応する）が形成されている。
【０１０３】
第１の穴１１４と第２の穴１１５とは、ラベル１１０を折り曲げ線１１３で折り畳みして完全に積み重なるようにした際に、互いに重畳する位置に形成されている。なお、ラベル１１０は、折り曲げ線１１３で折り曲げした後に手を離すと、第１の穴１１４を有する部分と第２の穴１１５を有する部分とが、完全に積層された状態とはならず、弾性により、これらの部分の曲げ角度が０度より大きく開くように、即ち、互いに非平行状態となるように構成されている。
【０１０４】
ラベル１１０における、第２の穴１１５より自由端１１２側の部分は表示部１１０ａ、第１の穴１１４及び第２の穴１１５の部分は取り付け部１１０ｂとして構成されている。表示部１１０ａに、所望の情報、例えばラベル１１０を取り付ける対象物の名称、型番、価格、バーコード等の一次元コード、若しくはＱＲコード（登録商標）等の二次元コード、又はその他の情報、図、デザイン、若しくはイラスト等が、例えばプリンタによって描かれる。
【０１０５】
ラベル１１０は、これらを書き込み可能であり、ある程度の耐水性及びある程度の強度を有する材料であることが望ましいが、このラベル１１０を屋内で使用する場合には、耐水性がなくとも良い。ラベル１１０は、例えば二軸延伸フィルム、一軸延伸フィルム、無延伸フィルム、その他のプラスチック用紙、不織布、又は含浸紙等で構成される。ラベル１１０のサイズ及び形状は、任意である。
【０１０６】
次に、本実施形態におけるラベル１１０の使用方法及び作用効果について説明する。
【０１０７】
図１１に示すように作製されたラベル１１０の取り付け部１１０ｂにおいて、折り曲げ線１１３に沿って折り曲げして折り畳むことにより、第１の穴１１４を有する部分と第２の穴１１５を有する部分とが完全に積み重なるようにする。
【０１０８】
これにより、切り込み線１１６がこの折り曲げ線１１３上で開口可能となり、例えば植物の枝等の細長い対象物をこの開口部分に挿入して切り込み線１１６内に割り込ませて案内し、互いに重畳されている第１の穴１１４の切り込み線１１４ｃ及び第２の穴１１５の切り込み線１１５ｃまで導くことにより、対象物が第１の穴１１４及び第２の穴１１５に通される。その結果、ラベル１１０を対象物に非常に容易に取り付けることができる。
【０１０９】
このように取り付けられたラベル１１０は、取り付け部１１０ｂの第１の穴１１４を有する部分と第２の穴１１５を有する部分とが非平行状態となるように、即ち、第１の穴１１４を有する部分と第２の穴１１５を有する部分とが、完全に積層された状態とはならず、これらの部分の曲げ角度が０度より大きくなるように折り曲げ線１１３を中心として折り曲げされた状態となる。
【０１１０】
このため、ラベル１１０に、その自由端１１２側が（図３の）矢印ａ方向に回転する外力が印加された場合に、第２の穴１１５の自由端１１２側の周縁に対象物からの力が印加されて回転を抑止するように働き、その自由端１１２側が（図３の）矢印ｂ方向に回転する外力が印加された場合に、第１の穴１１４の基端１１１側の周縁に対象物からの力が印加されて回転を抑止するように働く。その結果、ラベル１１０は、対象物から簡単には外れにくくなる。
【０１１１】
特に本実施形態においては、第１の穴１１４及び第２の穴１１５がラベル１１０の取り付けまでは非開口状態に維持されるため、ラベル１１０を作製するべくラベル用紙に印刷する際、プリンタが貫通穴を用紙切れとして誤検出するような不都合が生じない。
【０１１２】
以上説明したように、本実施形態によれば、植物の枝等の細長い対象物を切り込み線１１６を介して、重畳した第１の穴１１４及び第２の穴１１５に通すことにより、非常に容易にラベルの取り付けを行うことができる。また、第１の穴１１４を有する部分と第２の穴１１５を有する部分とが非平行状態となっているため、ラベル１１０は、対象物から簡単には外れにくくなる。もちろん、粘着部が存在しないので、水分や埃等の存在する使用環境に対して耐性のあるラベルを作成可能である。
【０１１３】
本実施形態におけるラベル１１０の作製方法は、図１の第１の実施形態におけるラベルの場合と同様である。
【０１１４】
なお、本実施形態は、図１の第１の実施形態におけるラベルの貫通穴に代えて、その周縁の一部が連結されている開口可能な穴を設けた構成となっているが、図５、図６、図７又は図１０の第２、第３、第４又は第６の実施形態におけるラベルの貫通穴に代えて、その周縁の一部が連結されている開口可能な穴を設けた構成としても良いことはもちろんである。
【０１１５】
図１２は本発明の第９の実施形態におけるラベルの構成を概略的に示している。本実施形態のラベルは、図１の第１の実施形態のラベルにおける貫通穴に代えて、その周縁の一部が連結されている開口可能な穴が設けられている。
【０１１６】
図１２において、１２０は望ましくは耐水性を有する紙から形成された全体が等幅のストリップ状のラベル、１２１はラベル１２０の基端（本発明の一端に対応する）、１２２はラベル１２０の基端１２１とは反対側の端である自由端、１２３は基端１２１に近い折り曲げ位置に形成されておりラベル１２０の伸長方向に垂直な折り曲げ線（本発明の第１の折り曲げ線に対応する）、１２４は折り曲げ線１２３より基端１２１側の部分に形成された第１の穴、１２５は折り曲げ線１２３より自由端１２２側の部分に形成された第２の穴をそれぞれ示している。
【０１１７】
第１の穴１２４は、その内側領域が周縁の４つの連結部１２４ａのみでラベル１２０に連結されており、周縁のその他の部分には切り込み線１２４ｂが形成されている。また、第１の穴１２４の内側領域は、４つの連結部１２４ａをそれぞれが有する４つの１／４円となるように中心線に沿って十字に切り込み線１２４ｃが形成されている。第２の穴１２５は、その内側領域が周縁の４つの連結部１２５ａのみでラベル１２０に連結されており、周縁のその他の部分には切り込み線１２５ｂが形成されている。また、第２の穴１２５の内側領域は、４つの連結部１２５ａをそれぞれが有する４つの１／４円となるように中心線に沿って十字に切り込み線１２５ｃが形成されている。
【０１１８】
これら第１の穴１２４及び第２の穴１２５は、実際には、ラベル１２０の取り付けまでは非開口状態となっているが、ラベル１２０の取り付け時に切り込み線に沿った分離を行うことにより開口状態となる。即ち、それらの穴部分が４分割され、連結部１２４ａ及び１２５ａを中心にそれぞれ折れ曲がることにより開口状態となる。
【０１１９】
ラベル１２０には、さらに、一端が第１の穴１２４の切り込み線１２４ｃに連続していると共に他端が第２の穴１２５の切り込み線１２５ｃに連続しており、折り曲げ線１２３に垂直な（ラベル１２０の伸長方向に平行な）１本の切り込み線１２６（本発明の第１の切り込み線に対応する）が形成されている。
【０１２０】
第１の穴１２４と第２の穴１２５とは、ラベル１２０を折り曲げ線１２３で折り畳みして完全に積み重なるようにした際に、互いに重畳する位置に形成されている。なお、ラベル１２０は、折り曲げ線１２３で折り曲げした後に手を離すと、第１の穴１２４を有する部分と第２の穴１２５を有する部分とが、完全に積層された状態とはならず、弾性により、これらの部分の曲げ角度が０度より大きく開くように、即ち、互いに非平行状態となるように構成されている。
【０１２１】
ラベル１２０における、第２の穴１２５より自由端１２２側の部分は表示部１２０ａ、第１の穴１２４及び第２の穴１２５の部分は取り付け部１２０ｂとして構成されている。表示部１２０ａに、所望の情報、例えばラベル１２０を取り付ける対象物の名称、型番、価格、バーコード等の一次元コード、若しくはＱＲコード（登録商標）等の二次元コード、又はその他の情報、図、デザイン、若しくはイラスト等が、例えばプリンタによって描かれる。
【０１２２】
ラベル１２０は、これらを書き込み可能であり、ある程度の耐水性及びある程度の強度を有する材料であることが望ましいが、このラベル１２０を屋内で使用する場合には、耐水性がなくとも良い。ラベル１２０は、例えば二軸延伸フィルム、一軸延伸フィルム、無延伸フィルム、その他のプラスチック用紙、不織布、又は含浸紙等で構成される。ラベル１２０のサイズ及び形状は、任意である。
【０１２３】
次に、本実施形態におけるラベル１２０の使用方法及び作用効果について説明する。
【０１２４】
図１２に示すように作製されたラベル１２０の取り付け部１２０ｂにおいて、折り曲げ線１２３に沿って折り曲げして折り畳むことにより、第１の穴１２４を有する部分と第２の穴１２５を有する部分とが完全に積み重なるようにする。
【０１２５】
これにより、切り込み線１２６がこの折り曲げ線１２３上で開口可能となり、例えば植物の枝等の細長い対象物をこの開口部分に挿入して切り込み線１２６内に割り込ませて案内し、互いに重畳されている第１の穴１２４の切り込み線１２４ｃ及び第２の穴１２５の切り込み線１２５ｃまで導くことにより、対象物が第１の穴１２４及び第２の穴１２５に通される。その結果、ラベル１２０を対象物に非常に容易に取り付けることができる。
【０１２６】
このように取り付けられたラベル１２０は、取り付け部１２０ｂの第１の穴１２４を有する部分と第２の穴１２５を有する部分とが非平行状態となるように、即ち、第１の穴１２４を有する部分と第２の穴１２５を有する部分とが、完全に積層された状態とはならず、これらの部分の曲げ角度が０度より大きくなるように折り曲げ線１２３を中心として折り曲げされた状態となる。
【０１２７】
このため、ラベル１２０に、その自由端１２２側が（図３の）矢印ａ方向に回転する外力が印加された場合に、第２の穴１２５の自由端１２２側の周縁に対象物からの力が印加されて回転を抑止するように働き、その自由端１２２側が（図３の）矢印ｂ方向に回転する外力が印加された場合に、第１の穴１２４の基端１２１側の周縁に対象物からの力が印加されて回転を抑止するように働く。その結果、ラベル１２０は、対象物から簡単には外れにくくなる。
【０１２８】
特に本実施形態においては、第１の穴１２４及び第２の穴１２５がラベル１２０の取り付けまでは非開口状態に維持されるため、ラベル１２０を作製するべくラベル用紙に印刷する際、プリンタが貫通穴を用紙切れとして誤検出するような不都合が生じない。
【０１２９】
以上説明したように、本実施形態によれば、植物の枝等の細長い対象物を切り込み線１２６を介して、重畳した第１の穴１２４及び第２の穴１２５に通すことにより、非常に容易にラベルの取り付けを行うことができる。また、第１の穴１２４を有する部分と第２の穴１２５を有する部分とが非平行状態となっているため、ラベル１２０は、対象物から簡単には外れにくくなる。もちろん、粘着部が存在しないので、水分や埃等の存在する使用環境に対して耐性のあるラベルを作成可能である。
【０１３０】
本実施形態におけるラベル１２０の作製方法は、図１の第１の実施形態におけるラベルの場合と同様である。
【０１３１】
なお、本実施形態は、図１の第１の実施形態におけるラベルの貫通穴に代えて、その周縁の一部が連結されている開口可能な穴を設けた構成となっているが、図５、図６、図７又は図１０の第２、第３、第４又は第６の実施形態におけるラベルの貫通穴に代えて、その周縁の一部が連結されている開口可能な穴を設けた構成としても良いことはもちろんである。
【０１３２】
図１３は本発明の第１０の実施形態におけるラベルの構成を概略的に示している。本実施形態のラベルは、図１の第１の実施形態のラベルにおける貫通穴に代えて、その周縁の一部が連結されている開口可能な穴が設けられている。
【０１３３】
図１３において、１３０は望ましくは耐水性を有する紙から形成された全体が等幅のストリップ状のラベル、１３１はラベル１３０の基端（本発明の一端に対応する）、１３２はラベル１３０の基端１３１とは反対側の端である自由端、１３３は基端１３１に近い折り曲げ位置に形成されておりラベル１３０の伸長方向に垂直な折り曲げ線（本発明の第１の折り曲げ線に対応する）、１３４は折り曲げ線１３３より基端１３１側の部分に形成された第１の穴、１３５は折り曲げ線１３３より自由端１３２側の部分に形成された第２の穴をそれぞれ示している。
【０１３４】
第１の穴１３４は、その内側領域が周縁の１つの連結部１３４ａのみでラベル１３０に連結されており、周縁のその他の部分には切り込み線１３４ｂが形成されている。第２の穴１３５は、その内側領域が周縁の１つの連結部１３５ａのみでラベル１３０に連結されており、周縁のその他の部分には切り込み線１３５ｂが形成されている。
【０１３５】
これら第１の穴１３４及び第２の穴１３５は、実際には、ラベル１３０の取り付けまでは非開口状態となっているが、ラベル１３０の取り付け時に切り込み線に沿った分離を行うことにより開口状態となる。即ち、それらの穴部分が連結部１３４ａ及び１３５ａを中心にそれぞれ折れ曲がることにより開口状態となる。
【０１３６】
ラベル１３０には、さらに、一端が第１の穴１３４の切り込み線１３４ｂに連続していると共に他端が第２の穴１３５の切り込み線１３５ｂに連続しており、折り曲げ線１３３に垂直な（ラベル１３０の伸長方向に平行な）１本の切り込み線１３６（本発明の第１の切り込み線に対応する）が形成されている。
【０１３７】
第１の穴１３４と第２の穴１３５とは、ラベル１３０を折り曲げ線１３３で折り畳みして完全に積み重なるようにした際に、互いに重畳する位置に形成されている。なお、ラベル１３０は、折り曲げ線１３３で折り曲げした後に手を離すと、第１の穴１３４を有する部分と第２の穴１３５を有する部分とが、完全に積層された状態とはならず、弾性により、これらの部分の曲げ角度が０度より大きく開くように、即ち、互いに非平行状態となるように構成されている。
【０１３８】
ラベル１３０における、第２の穴１３５より自由端１３２側の部分は表示部１３０ａ、第１の穴１３３及び第２の穴１３５の部分は取り付け部１３０ｂとして構成されている。表示部１３０ａに、所望の情報、例えばラベル１３０を取り付ける対象物の名称、型番、価格、バーコード等の一次元コード、若しくはＱＲコード（登録商標）等の二次元コード、又はその他の情報、図、デザイン、若しくはイラスト等が、例えばプリンタによって描かれる。
【０１３９】
ラベル１３０は、これらを書き込み可能であり、ある程度の耐水性及びある程度の強度を有する材料であることが望ましいが、このラベル１３０を屋内で使用する場合には、耐水性がなくとも良い。ラベル１３０は、例えば二軸延伸フィルム、一軸延伸フィルム、無延伸フィルム、その他のプラスチック用紙、不織布、又は含浸紙等で構成される。ラベル１３０のサイズ及び形状は、任意である。
【０１４０】
次に、本実施形態におけるラベル１３０の使用方法及び作用効果について説明する。
【０１４１】
図１３に示すように作製されたラベル１３０の取り付け部１３０ｂにおいて、折り曲げ線１３３に沿って折り曲げして折り畳むことにより、第１の穴１３４を有する部分と第２の穴１３５を有する部分とが完全に積み重なるようにする。
【０１４２】
これにより、切り込み線１３６がこの折り曲げ線１３３上で開口可能となり、例えば植物の枝等の細長い対象物をこの開口部分に挿入して切り込み線１３６内に割り込ませて案内し、互いに重畳されている第１の穴１３４の切り込み線１３４ｂ及び第２の穴１３５の切り込み線１３５ｂまで導くことにより、対象物が第１の穴１３４及び第２の穴１３５に通される。その結果、ラベル１３０を対象物に非常に容易に取り付けることができる。
【０１４３】
このように取り付けられたラベル１３０は、取り付け部１３０ｂの第１の穴１３４を有する部分と第２の穴１３５を有する部分とが非平行状態となるように、即ち、第１の穴１３４を有する部分と第２の穴１３５を有する部分とが、完全に積層された状態とはならず、これらの部分の曲げ角度が０度より大きくなるように折り曲げ線１３３を中心として折り曲げされた状態となる。
【０１４４】
このため、ラベル１３０に、その自由端１３２側が（図３の）矢印ａ方向に回転する外力が印加された場合に、第２の穴１３５の自由端１３２側の周縁に対象物からの力が印加されて回転を抑止するように働き、その自由端１３２側が（図３の）矢印ｂ方向に回転する外力が印加された場合に、第１の穴１３４の基端１３１側の周縁に対象物からの力が印加されて回転を抑止するように働く。その結果、ラベル１３０は、対象物から簡単には外れにくくなる。
【０１４５】
特に本実施形態においては、第１の穴１３４及び第２の穴１３５がラベル１３０の取り付けまでは非開口状態に維持されるため、ラベル１３０を作製するべくラベル用紙に印刷する際、プリンタが貫通穴を用紙切れとして誤検出するような不都合が生じない。
【０１４６】
以上説明したように、本実施形態によれば、植物の枝等の細長い対象物を切り込み線１３６を介して、重畳した第１の穴１３４及び第２の穴１３５に通すことにより、非常に容易にラベルの取り付けを行うことができる。また、第１の穴１３４を有する部分と第２の穴１３５を有する部分とが非平行状態となっているため、ラベル１３０は、対象物から簡単には外れにくくなる。もちろん、粘着部が存在しないので、水分や埃等の存在する使用環境に対して耐性のあるラベルを作成可能である。
【０１４７】
本実施形態におけるラベル１３０の作製方法は、図１の第１の実施形態におけるラベルの場合と同様である。
【０１４８】
なお、本実施形態は、図１の第１の実施形態におけるラベルの貫通穴に代えて、その周縁の一部が連結されている開口可能な穴を設けた構成となっているが、図５、図６、図７又は図１０の第２、第３、第４又は第６の実施形態におけるラベルの貫通穴に代えて、その周縁の一部が連結されている開口可能な穴を設けた構成としても良いことはもちろんである。
【０１４９】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【０１５０】
１０、５０、６０、７０、８０、９０、１００、１１０、１２０、１３０  ラベル
１０ａ、５０ａ、６０ａ、７０ａ、８０ａ、９０ａ、１００ａ、１１０ａ、１２０ａ、１３０ａ  表示部
１０ｂ、５０ｂ、６０ｂ、７０ｂ、８０ｂ、９０ｂ、１００ｂ、１１０ｂ、１２０ｂ、１３０ｂ  取り付け部
１０ｂ１  第１の貫通穴を有する部分
１０ｂ２  第２の貫通穴を有する部分
１１、５１、６１、７１、８１、９１、１０１、１１１、１２１、１３１  基端
１２、５２、６２、７２、８２、９２、１０２、１１２、１２２、１３２  自由端
１３、５３、６３、７３、８３、９３、１１３、１２３、１３３  折り曲げ線
１４、５４、６４、７４、８４、９４、１０４  第１の貫通穴
１４ａ、１５ａ  周縁
１５、５５、６５、７５、８５、９５、１０５  第２の貫通穴
１６、５６、６６、７６、１１４ｂ、１１４ｃ、１１５ｂ、１１５ｃ、１１６、１２４ｂ、１２４ｃ、１２５ｂ、１２５ｃ、１２６、１３４ｂ、１３５ｂ、１３６  切り込み線
１７  対象物
１８  ラベル用紙
１９  ミシン目部
８５ａ、９５ａ  連結部
８６、９６  スリット
１０３ａ  第１の折り曲げ線
１０３ｂ  第２の折り曲げ線
１０６ａ  第１の切り込み線
１０６ｂ  第２の切り込み線
１０８  第３の貫通穴
１１４、１２４、１３４  第１の穴
１１５、１２５、１３５  第２の穴
ａ、ｂ  矢印
【図１】
2012185489.tif 000003
【図２】
2012185489.tif 000004
【図３】
2012185489.tif 000005
【図４】
2012185489.tif 000006
【図５】
2012185489.tif 000007
【図６】
2012185489.tif 000008
【図７】
2012185489.tif 000009
【図８】
2012185489.tif 000010
【図９】
2012185489.tif 000011
【図１０】
2012185489.tif 000012
【図１１】
2012185489.tif 000013
【図１２】
2012185489.tif 000014
【図１３】
2012185489.tif 000015